(57)【要約】【課題】電動リールの電源コードが邪魔になりにくく、しかも、メンテナンスが容易な釣竿と釣竿用のグリップ部材を提供する。【解決手段】リールシート２よりも竿尻側にグリップ部６を備え、該グリップ部６は、電動リール３の電源コード５が入り込む凹溝１０を有し、該凹溝１０の底面は、フラット面又は周方向に沿って外側凸の湾曲面であり、グリップ部６は、電源コード５を凹溝１０に保持するためのコード保持具２０を備えており、コード保持具２０の他端部２０ｂはグリップ部６に着脱可能である。【選択図】図１
2020092641.tif 000002
【特許請求の範囲】
【請求項１】
リールシートよりも竿尻側にグリップ部を備え、該グリップ部は、電動リールの電源コードが入り込む凹溝を有し、該凹溝の底面は、フラット面、又は、周方向に沿って外側凸の湾曲面である、釣竿。
【請求項２】
グリップ部は、電源コードを凹溝に保持するためのコード保持具を備えている請求項１記載の釣竿。
【請求項３】
竿本体におけるリールシートよりも竿尻側の位置に装着されるグリップ部材であって、
外周面に、電動リールの電源コードが入り込む凹溝を有し、該凹溝の底面は、フラット面、又は、周方向に沿って外側凸の湾曲面である、釣竿用のグリップ部材。
【発明の詳細な説明】
【技術分野】
【０００１】
本発明は、釣竿と釣竿用のグリップ部材に関する。
【背景技術】
【０００２】
釣竿のリールシートに装着された電動リールと外部電源との間には、電源コードが接続される。電源コードを介して外部電源から電動リールに給電される。この電源コードが釣りの邪魔になることがある。この問題に対して、下記特許文献１では、竿本体の内部に中間コードを配備した構成が提案されている。該釣竿では、電動リールにリール接続コードが接続され、竿本体の側孔を介してリール接続コードの端部が中間コードに接続される。そして、竿本体の竿尻部において中間コードに電源コードが接続される。このように竿本体の内部に中間コードを備えることにより、電動リールから電源コードを離すことができる。しかしながら、竿本体の内部に中間コードを備えるため、中間コードが腐食しやすいという問題がある。
【０００３】
一方、電源コードを竿本体の外周面に沿わせて例えば帯状のバンド等によって電源コードを竿本体の外周面に保持することが考えられる。その場合、電源コードの安定性を高めるために、竿本体のグリップ部の外周面に溝を形成しておき、その溝に電源コードを嵌め込むことが考えられる。しかしながら、溝に汚れや塩等が溜まりやすく、その汚れ等を溝から除去する必要がある。
【先行技術文献】
【特許文献】
【０００４】
【特許文献１】特開２００７−３００８４１号公報
【発明の概要】
【発明が解決しようとする課題】
【０００５】
本発明は、電動リールの電源コードが邪魔になりにくく、しかも、メンテナンスが容易な釣竿と釣竿用のグリップ部材を提供することを課題とする。
【課題を解決するための手段】
【０００６】
本発明は上記課題を解決すべくなされたものであって、本発明に係る釣竿は、リールシートよりも竿尻側にグリップ部を備え、該グリップ部は、電動リールの電源コードが入り込む凹溝を有し、該凹溝の底面は、フラット面、又は、周方向に沿って外側凸の湾曲面である。
【０００７】
該釣竿にあっては、グリップに凹溝が形成されているため、その凹溝に電源コードを入れることができる。そして、凹溝の底面がフラット面又は周方向に沿って外側凸の湾曲面となっているため、凹溝の底面が周方向に凹状の湾曲面である場合に比して、凹溝の底面に汚れが溜まりにくく、また、凹溝の底面に汚れが付着した場合であってもその汚れを簡単に洗い流すことができる。
【０００８】
特に、グリップ部は、電源コードを凹溝に保持するためのコード保持具を備えていることが好ましい。コード保持具によって電源コードを安定して保持できる。釣り人は、釣竿とは別にゴムベルト等を携帯しなくてもよく、釣竿のコード保持具によって電源コードグリップ部に繋ぎ止めておくことができる。
【０００９】
また、本発明に係る釣竿用のグリップ部材は、竿本体におけるリールシートよりも竿尻側の位置に装着されるグリップ部材であって、外周面に、電動リールの電源コードが入り込む凹溝を有し、該凹溝の底面は、フラット面、又は、周方向に沿って外側凸の湾曲面である。
【発明の効果】
【００１０】
以上のように、底面がフラット面又は周方向に沿って外側凸の湾曲面である凹溝を釣竿のグリップ部又はグリップ部材に設けることにより、電動リールの電源コードが邪魔になりにくく、メンテナンスも容易になる。
【図面の簡単な説明】
【００１１】
【図１】本発明の一実施形態における釣竿の要部を示す斜視図。
【図２】（ａ）及び（ｂ）は同釣竿の断面図。
【図３】本発明の他の実施形態における釣竿の断面図。
【図４】電動リールの電源コードの要部を示す正面図。
【図５】（ａ）は図４のＡ−Ａ断面図、（ｂ）は図４のＢ−Ｂ断面図。
【図６】同電動リールの電源コードを図１の釣竿に装着した状態を示す要部断面図。
【図７】（ａ）は電動リールの電源コードの要部を示す正面図、（ｂ）は（ａ）のＣ−Ｃ断面図。
【図８】電動リールの電源コードの要部を示す正面図。
【図９】（ａ）は電動リールの電源コードの要部を示す正面図、（ｂ）は（ａ）のＤ−Ｄ断面図。
【発明を実施するための形態】
【００１２】
以下、本発明の一実施形態に係る釣竿とそれに使用されている釣竿用のグリップ部材について図１及び図２を参酌しつつ説明する。尚、竿先側を前側と、竿尻側を後側として以下説明する。図１に示すように、本実施形態の釣竿は、各種のリールを装着するためのリールシート２を備えている。リールシート２は、釣竿の後端部（竿尻部）から所定長さ前側に離間した位置に備えられている。このリールシート２には図１のように電動リール３を装着することができる。電動リール３は、釣竿の上側に位置する。電動リール３は、電源コード５によって外部電源４に接続される。釣竿は、リールシート２の後側にグリップ部６を備えている。グリップ部６は、釣竿の後端部まで伸びている。グリップ部６は、釣り人が釣竿を持つ際に把持する部分である。
【００１３】
釣竿は、ブランク１（竿本体）を備えている。ブランク１は例えば筒状、即ち中空状であるが、中実状であってもよい。ブランク１は例えばカーボン繊維等を強化繊維とするプリプレグにより形成される。本実施形態においては図２（ａ）のようにブランク１は中空状である。尚、釣竿はワンピース構造であってもよいし、複数の竿体が継ぎ合わせられた構造であってもよい。複数の竿体が継ぎ合わせられる場合には、元竿がリールシート２を備える。リールシート２はブランク１に取り付け固定されている。
【００１４】
グリップ部６は、ブランク１とは別体構成のグリップ部材７により構成されている。グリップ部材７は、ブランク１に被せられるようにしてブランク１に装着されている。グリップ部材７は、両端開口の筒状であったり、前端開口で後端閉口の筒状であったりし、そのグリップ部材７の内側にブランク１が挿入されて、ブランク１の外周面にグリップ部材７が接着により構成される。グリップ部材７は各種のグリップ素材から構成されている。グリップ素材としては例えば発泡ＥＶＡやコルク等である。
【００１５】
グリップ部６の外周面には凹溝１０が形成されている。凹溝１０は径方向外側に向けて開口している。凹溝１０の本数や配置等は任意である。本実施形態では、凹溝１０は一本形成されており、凹溝１０は釣竿の中心線方向に沿って直線状に延びている。図１のように、電動リール３が位置する向きを上向きとしたとき、グリップ部６の上部に凹溝１０が位置することが好ましいが、例えば、グリップ部６の左右の側部に凹溝１０が位置していてもよい。また、凹溝１０は釣竿の中心線方向に沿っているものに限らず、例えば釣竿の中心線方向に対して傾斜していてもよく、また、湾曲しながら延びているものであってもよい。凹溝１０は、リールシート２の近傍位置からグリップ部６の後端部近傍位置まで延びている。凹溝１０がグリップ部６の後端部まで達していてその後端部において後側に開口していてもよい。
【００１６】
凹溝１０の断面形状を図２に示している。凹溝１０は浅溝である。凹溝１０の深さＴは、凹溝１０の幅Ｗよりも小さい。凹溝１０の深さＴは、凹溝１０の幅Ｗに対して１／２以下であり、好ましくは、１／３〜１／８である。凹溝１０はその全長に亘って略一定の深さＴ、幅Ｗであってよい。凹溝１０の底面１０ａは本実施形態では周方向に沿って外側凸に湾曲した湾曲面となっている。底面１０ａの曲率は任意であるが、グリップ部６の外周面と相似した形状であってよく、グリップ部６の外周面と同軸の断面円弧状とすることができる。凹溝１０の側面１０ｂは底面１０ａに対して９０度以上の角度で立ち上がっていることが好ましい。
【００１７】
釣竿は、電源コード５を凹溝１０に保持するためのコード保持具２０を備えていることが好ましい。コード保持具２０は、グリップ部６に備えられている。コード保持具２０は、無端環状のものであってもよいが、本実施形態では、図１及び図２（ａ）のように、所定長さを有する帯状である。コード保持具２０は、一端部２０ａがグリップ部６に固定され、他端部２０ｂがグリップ部６に着脱可能に取り付けられる構成となっている。コード保持具２０は、周方向に延びている。コード保持具２０の長さは任意であるが、例えば、グリップ部６の略半周分の長さとすることができる。コード保持具２０は、一個のみ備えられていてもよいが、複数個備えられていることが好ましい。図１では、二個のコード保持具２０を備えている形態を図示している。このように複数個のコード保持具２０を備える場合には、互いに前後に間隔をあけて配置されることが好ましい。
【００１８】
コード保持具２０の一端部２０ａをグリップ部６に固定する方法は任意であって接着により固定してもよいし、コード保持具２０の一端部２０ａをグリップ部６の係止孔８に嵌合により挿入固定してもよい。コード保持具２０の一端部２０ａはグリップ部６に取り外し不能に固定されていてもよいが、取り外し可能に固定されていてもよく、コード保持具２０は交換可能であってもよい。コード保持具２０の他端部２０ｂをグリップ部６の外周面に着脱可能とする構成も任意であるが、例えば、面ファスナー２１，２２を用いることができる。その他、面ファスナー２１，２２に代えて、ドットボタン等を使用してもよい。
【００１９】
コード保持具２０の他端部２０ｂをグリップ部６に取り付けることにより、コード保持具２０で電源コード５を外側から内側に向けて押さえ付けることができ、電源コード５を凹溝１０内に保持できる。即ち、電源コード５をグリップ部６に沿って引き延ばすことができ、グリップ部６に当接した状態とすることができる。一方、コード保持具２０の他端部２０ｂをグリップ部６から取り外すことにより、電源コード５をグリップ部６の凹溝１０から開放することができ、電源コード５をフリー状態とすることができる。即ち、電源コード５をグリップ部６から離間させることができる。コード保持具２０は、その長手方向に伸縮性を有していることも好ましく、例えばゴム製とすることができる。
【００２０】
以上のように構成された釣竿にあっては、グリップ部６に凹溝１０が形成されているので、その凹溝１０に電源コード５を入れることができる。そのため、電源コード５がグリップ部６に沿って延びていて邪魔になりにくい。しかも、コード保持具２０によって電源コード５を凹溝１０にしっかりと保持することができる。そして、コード保持具２０の他端部２０ｂがグリップ部６に対して着脱可能に構成されているので、簡単に電源コード５を保持することができると共に、簡単に電源コード５をフリー状態とすることもできる。しかも、片手でコード保持具２０の他端部２０ｂの着脱操作を行うことができる。電動リール３が図１のように右ハンドル仕様の場合には、コード保持具２０の右側の端部を着脱可能に構成することが好ましく、右手でコード保持具２０の右端部を着脱操作できる。電動リール３が逆に左ハンドル仕様の場合には、コード保持具２０の左側の端部を着脱可能に構成することが好ましく、左手でコード保持具２０の左端部を着脱操作できる。即ち、釣竿を一方の手で把持しつつ、電動リール３のハンドルを持つ他方の手でコード保持具２０の端部を容易に着脱できることが好ましい。また、グリップ部６にコード保持具２０を備えているので、別途のゴムベルト等を携帯する必要がなく、また、コード保持具２０の紛失も防止できる。電動リール３を使用しない場合であっても、コード保持具２０の他端部２０ｂをグリップ部６に取り付けておけばコード保持具２０は邪魔にならない。
【００２１】
また、凹溝１０が浅溝であって、その底面１０ａが外側凸の湾曲面であるので、凹溝１０の底面１０ａに汚れが溜まりにくく、また汚れが付着したとしても容易に洗い流すことができる。従って、メンテナンス性に優れている。
【００２２】
尚、本実施形態では、凹溝１０の底面１０ａが周方向に沿って外側凸に湾曲した湾曲面であったが、図３のように凹溝１０の底面１０ａが周方向に沿って湾曲していないフラットなフラット面であってもよい。このように凹溝１０の底面１０ａがフラット面であっても底面１０ａに汚れが付着しにくく、また汚れの除去も容易である。
【００２３】
また、電源コード５は断面円形であるが、図４〜図６のように、その一部に偏平部３１を備えていることも好ましい。即ち、電源コード５は、断面円形状の主部３０と、断面非円形状の偏平部３１とを備えている。偏平部３１の長さは任意であるが、凹溝１０の長さ以上であることが好ましい。偏平部３１の幅Ｐ３は、主部３０の直径Ｐ１よりも大きい。偏平部３１の厚みＰ２は、主部３０の直径Ｐ１よりも小さい。但し、偏平部３１の幅Ｐ３が主部３０の直径Ｐ１と略同じであってもよいし、偏平部３１の厚みＰ２が主部３０の直径Ｐ１と略同じであってもよい。偏平部３１の幅Ｐ３は、図６のように凹溝１０の幅Ｗ以下であることが好ましい。偏平部３１の厚みＰ２は凹溝１０の深さＴ以下であってもよいし、図６のように凹溝１０の深さＴを超えるものであってもよい。
【００２４】
このように電源コード５が少なくとも一部に偏平部３１を備えていると、その偏平部３１を凹溝１０に入れることによって、より一層電源コード５と凹溝１０との密着性が高まり、電源コード５が安定する。また、グリップ部６の外周面から電源コード５が突出する量を抑制することができるため、グリップ部６を把持する際に電源コード５がより一層邪魔にならない。また、電源コード５が局部的に偏平部３１を備えていると、電源コード５自体が絡みにくくなり、仮に絡んだとしても容易にほぐすことができる。但し、電源コード５の全長が偏平部３１であってもよい。即ち、電源コード５が断面円形の主部３０を備えずに偏平部３１のみの構成であってもよい。
【００２５】
また、図７のように、電源コード５は断面円形であって、その断面円形の電源コード５に所定長さのアタッチメント４０を取り付けることによって部分的に偏平部３１を設けるようにしてもよい。アタッチメント４０の構成は任意であるが、例えば、図７（ｂ）のように、上面４０ａに左右一対の保持片４１が突設されている構成とすることができる。左右一対の保持片４１の間に電源コード５を挟み込むことができ、これにより電源コード５にアタッチメント４０を後付けで取り付けることができる。アタッチメント４０の長さは凹溝１０の長さ程度とすることができる。尚、グリップ部６の凹溝１０の底面１０ａが図２（ｂ）のように外側凸の湾曲面である場合には、それに対応してアタッチメント４０の下面４０ｂを上面４０ａ側に向けて凹んだ湾曲面とすることが好ましい。また、グリップ部６の凹溝１０の底面１０ａが図３のようにフラット面である場合には、それに対応してアタッチメント４０の下面４０ｂもフラット面とすることが好ましい。このようにアタッチメント４０の下面４０ｂの形状は凹溝１０の底面１０ａに対応した形状とすることが好ましい。また、電源コード５に部分的にアタッチメント４０を取り付けることによっても、電源コード５が絡みにくくなる。
【００２６】
また、図８のように電源コード５の外側に部分的にパイプ５０を装着してもよい。このように電源コード５に所定長さのパイプ５０を装着することで、電源コード５に部分的に張りを持たせることができ、電源コード５の絡みを防止できる。尚、パイプ５０を凹溝１０に設置することが好ましい。
【００２７】
更に、図９のように電源コード５の内部に部分的にパイプ５１を備えるようにしてもよい。電源コード５がキャブタイヤケーブルから構成されている場合には、芯線５２の外側を所定長さのパイプ５１で部分的に覆い、その外側に被覆部５３（シース）を形成することにより、電源コード５に局所的に張りの強い部分を形成することができる。内部のパイプ５１は所定長さのものを一定間隔毎に配置することが好ましく、それを適宜の長さに切断して電源コード５に使用することができる。このように内部にパイプ５１を設けても、電源コード５が絡みにくくなる。尚、内部にパイプ５１を設けた部分を凹溝１０に入れることが好ましい。
【００２８】
尚、上記実施形態では、ブランク１とは別体のグリップ部材７からグリップ部６を構成していたが、ブランク１自体からグリップ部６が形成されている場合には、そのブランク１のグリップ部６に凹溝１０が形成されていてもよい。グリップ部６にコード保持具２０を備えていないものであってもよい。
【符号の説明】
【００２９】
１    ブランク
２    リールシート
３    電動リール
４    外部電源
５    電源コード
６    グリップ部
７    グリップ部材
８    係止孔
１０    凹溝
１０ａ  底面
１０ｂ  側面
２０    コード保持具
２０ａ  一端部
２０ｂ  他端部
２１    面ファスナー
２２    面ファスナー
３０    主部
３１    偏平部
４０    アタッチメント
４０ａ  上面
４０ｂ  下面
４１    保持片
５０    パイプ
５１    パイプ
５２    芯線
５３    被覆部
【図１】
2020092641.tif 000003
【図２】
2020092641.tif 000004
【図３】
2020092641.tif 000005
【図４】
2020092641.tif 000006
【図５】
2020092641.tif 000007
【図６】
2020092641.tif 000008
【図７】
2020092641.tif 000009
【図８】
2020092641.tif 000010
【図９】
2020092641.tif 000011